(57)【要約】【課題】  既存の各種のロータンクに共通的に設置可能で見栄えよく配線コードを引き回せる便器洗浄装置及び便器洗浄システムを提供する。【解決手段】  ロータンクに取り付ける便器洗浄装置であって、モータと、モータの出力を減速する減速手段を収容した筺体と、筺体の表面から突出し、手動による駆動力を入力する入力軸と、筺体の裏面から突出し、前記入力軸及び減速手段から回転駆動力を出力可能な出力軸と、前記裏面上において凹状に窪んだ配線コード取り回し部と、配線コード取り回し部の底部に設けられた配線コード貫通部と、配線コード貫通部から引き出された配線コードと、前記裏面上において配線コード取り回し部から筺体の側面に向けて設けられ配線コードを収容する溝状の第１の配線コード整線部と、前記裏面上において配線コード取り回し部から第２の側面に向けて設けられ配線コードを収容する溝状の第２の配線コード整線部と、を備えた。【選択図】  図１
2006200192.tif 000002
【特許請求の範囲】
【請求項１】
排水弁を有するロータンクに取り付け可能であって出力軸を介して前記排水弁を引き上げる便器洗浄装置であって、
モータと前記モータの出力を減速する減速手段とを収容した筺体と、
前記筺体の第１の主面から突出し、手動による駆動力を入力可能とした入力軸と、
前記筺体の第２の主面から突出し、前記入力軸及び前記減速手段から回転駆動力を出力可能な出力軸と、
前記第２の主面上において凹状に窪んだ配線コード取り回し部と、
前記配線コード取り回し部の底部に設けられた配線コード貫通部と、
前記配線コード貫通部から引き出された配線コードと、
前記第２の主面上において前記配線コード取り回し部から前記筺体の第１の側面に向けて設けられ前記配線コードを収容可能な溝状の第１の配線コード整線部と、
前記第２の主面上において前記配線コード取り回し部から前記筺体の第１の側面とは異なる第２の側面に向けて設けられ前記配線コードを収容可能な溝状の第２の配線コード整線部と、
を備えたことを特徴とする便器洗浄装置。
【請求項２】
前記配線コード整線部の開口端から突出し内部に収容される配線コードを固定する整線リブをさらに備えたことを特徴とする請求項１記載の便器洗浄装置。
【請求項３】
前記第１及び第２の配線コード整線部の前記側面における終端部の外壁面は、その周囲の側面の部分と連続的に形成され、且つ前記終端部の厚みは、その周囲の側面の部分よりも肉薄に形成されてなることを特徴とする請求項１または２に記載の便器洗浄装置。
【請求項４】
前記第１及び第２の配線コード整線部は、前記側面から前記配線コードを引き出すための配線コード位置決め穴を有することを特徴とする請求項１または２に記載の便器洗浄装置。
【請求項５】
前記第１及び第２の配線コード整線部の少なくともいずれかに埋め込み可能とされ、前記配線コード位置決め穴を塞ぐプラグをさらに備えたことを特徴とする請求項４記載の便器洗浄装置。
【請求項６】
排水弁を有するロータンクに取り付け可能であって出力軸を介して前記排水弁を引き上げる便器洗浄装置であって、
モータと前記モータの出力を減速する減速手段とを収容した筺体と、
前記筺体の第１の主面から突出し、手動による駆動力を入力可能とした入力軸と、
前記筺体の第２の主面から突出し、前記入力軸及び前記減速手段から回転駆動力を出力可能な出力軸と、
前記第２の主面上に設けられた配線コード貫通部と、
前記配線コード貫通部から引き出された配線コードと、
前記配線コード貫通部を覆うように設けられる中空の整線部材であって、前記中空内に引き出された前記配線を外側に引き出すための複数の配線コード位置決め穴を有する整線部材と、
を備えたことを特徴とする便器洗浄装置。
【請求項７】
排水弁を有するロータンクに取り付け可能であって出力軸を介して前記排水弁を引き上げる便器洗浄装置であって、
モータと前記モータの出力を減速する減速手段とを収容した筺体と、
前記筺体の第１の主面から突出し、手動による駆動力を入力可能とした入力軸と、
前記筺体の第２の主面から突出し、前記入力軸及び前記減速手段から回転駆動力を出力可能な出力軸と、
前記筺体の第１の側面に設けられた配線コード差し込み用コネクタと、
前記筺体の第２の側面に設けられた配線コード差し込み用コネクタと、
を備えたことを特徴とする便器洗浄装置。
【請求項８】
排水弁を有するロータンクに取り付け可能であって出力軸を介して前記排水弁を引き上げる便器洗浄装置であって、
モータと前記モータの出力を減速する減速手段とを収容した筺体と、
前記筺体の第１の主面から突出し、手動による駆動力を入力可能とした入力軸と、
前記第２の主面上に設けられた多角形柱状の突出基部であって、その複数の側面のそれぞれに接続端子が設けられた多角形柱状の突出基部と、
前記突出基部から突出し、前記入力軸及び前記減速手段から回転駆動力を出力可能な出力軸と、
前記突出基部を挿入可能な貫通穴と、前記貫通穴の内壁面に露出した端子と、前記端子に接続された配線コードと、を有し、前記貫通穴に前記突出基部を挿入した状態において、前記接続端子のいずれかと前記端子とが接触可能とされたコネクタケースと、
を備えたことを特徴とする便器洗浄装置。
【請求項９】
排水弁を有するロータンクに取り付け可能であって出力軸を介して前記排水弁を引き上げる便器洗浄装置であって、
モータと前記モータの出力を減速する減速手段とを収容した筺体と、
前記筺体の第１の主面から突出し、手動による駆動力を入力可能とした入力軸と、
前記筺体の第２の主面から突出した多角形柱状の突出基部と、
前記突出基部から突出し、前記入力軸及び前記減速手段から回転駆動力を出力可能な出力軸と、
前記筺体の側面に設けられた配線コード貫通部と、
前記配線コード貫通部から引き出された配線コードと、
を備え、
前記第１の主面に対して平行な前記入力軸の断面形状と、前記第２の主面に対して平行な前記突出基部の断面形状と、前記第２の主面に対して平行な前記出力軸の断面のいずれもが９０°を単位する回転対称であることを特徴とする便器洗浄装置。
【請求項１０】
請求項１〜９のいずれか１つに記載の便器洗浄装置と、
前記便器洗浄装置の動作を制御する制御信号を前記配線コードを介して供給する制御部と、
を備えたことを特徴とする便器洗浄システム。
【請求項１１】
前記制御部が便座に付設されたことを特徴とする請求項１０記載の便器洗浄システム。
【請求項１２】
前記便座は、使用者の局部を水または温水により洗浄する局部洗浄装置も有することを特徴とする請求項１１記載の便器洗浄システム。
【発明の詳細な説明】
【技術分野】
【０００１】
本発明は、便器洗浄装置及び便器洗浄システムに関し、より詳細には、水洗便器のロータンクに取り付けて、電動により排水弁の開閉を制御してロータンクから水洗便器に洗浄水を供給可能とした便器洗浄装置及び便器洗浄システムに関する。
【背景技術】
【０００２】
手動及び電動のいずれにても水洗便器に洗浄水を供給可能とした便器洗浄装置として、いわゆる「外付け式」の装置が開示されている（例えば、特許文献１及び特許文献２）。  図２０は、このような外付け式の便器洗浄装置を取り付けた水洗便器システムを表す。
【０００３】
また、図２１は、その取り付け部の断面構造を表す模式図である。  
すなわち、水洗便器３００にはロータンク２００が付設され、このロータンクの手動操作ハンドル１００の取り付け位置の外壁部に便器洗浄装置１０が設置されている。  
その内部は、図２１に例示した如くであり、ケーシング５０の中にはモータ５４が内蔵され、その出力軸５６に接続されたギア５８から、中間ギア６０、６２、６４、６６を介して引き上げロッド４４に固定されたギア５２に駆動力が伝達される。引き上げロッド４４の回転に伴い、その先端に接続された鎖４２を介して排水弁３８が引き上げられて排出口３６から洗浄水が便器３００に排出される。  
また、引き上げロッド４４は、手動操作ハンドル１００にも連結され、ハンドル１００の手動操作によっても洗浄水の排出が可能とされている。
【０００４】
便器洗浄装置１０のモータ５４には、配線コード７６を介して駆動電力が供給される。図２０に例示したシステムの場合、配線コード７６は、便座４００の後方に内蔵された制御部２６に接続される。また、便座４００の後方には、ノズル２２から温水を噴射することにより人体臀部などを洗浄する人体洗浄装置２４などを併設してもよい。
【０００５】
便器洗浄装置１０及び人体洗浄装置２４の動作は、例えば、トイレの壁面に設置されたリモコン５１０により遠隔操作により実施してもよい。
【特許文献１】特開昭６０−５５１３６号公報
【特許文献２】特開平９−１９５３５６号公報
【発明の開示】
【発明が解決しようとする課題】
【０００６】
すでに市場には、各種のロータンクが出回っている。これらのできるだけ多くの機種に適合でき、取り付けも容易な便器洗浄装置が実現できれば、ユーザは、ロータンクを買い換えることなく電動洗浄の恩恵に浴することができる。
【０００７】
図２２は、既存のロータンクの形態のいくつかを例示する模式図である。すなわち、同図（ａ）に表したものは、ロータンク２００の正面左側に操作ハンドル１００が設けられた、いわゆる「前ハンドル型」のロータンクである。また、図２２（ｂ）に表したものは、ロータンク２００の向かって右側側面に操作ハンドル１００が設けられた、いわゆる「右ハンドル型」のロータンクである。一方、図２２（ｃ）に表したものは、トイレ室のコーナーに配置可能な、いわゆる「隅付き型」のロータンクである。
【０００８】
これらの具体例からも分かるように、ロータンクの外形状とその操作ハンドル１００の取り付け位置には、各種の形式が存在する。そして、これら各種のロータンクに外付け式の便器洗浄装置１０を取り付ける場合、便器洗浄装置の引き上げロッド４４の回転角度範囲は予め決められているので、便器洗浄装置の取り付け角度も固定される。すると、便器洗浄装置１０を制御部２６に接続する配線コード７６の処理が問題となる。
【０００９】
図２３及び図２４は、外付け式の便器洗浄装置から配線コード７６を引き回す態様を例示する模式図である。  
例えば、便器洗浄装置１０の下側面から配線コードを引き出すこととした場合、図２３（ａ）及び（ｂ）に表したように、ロータンク２００の外壁に延在する配線コード７６が目立ちやすく見栄えが悪い。  
これに対して、例えば、便器洗浄装置１０の右側面から配線コード７６を引き出すこととした場合、図２４（ａ）に表したように、「右ハンドル型」のロータンクの場合には配線コード７６が目立ちにくくなる。ところが、この場合でも、図２４（ｂ）に表したように操作ハンドル１００が左側に寄った「前ハンドル型」のロータンクに取り付けると、タンクの正面外壁を配線コード７６が延在することとなり見栄えが悪い。
【００１０】
従って、これら多種多様な既存のロータンクに共通的に設置でき、見栄えよく配線コードを引き回しするためには、便器洗浄装置からの配線コードの引き出し構造などに関して新規な工夫が必要とされる。
【００１１】
本発明はかかる課題の認識に基づいてなされたものであり、その目的は、既存の各種のロータンクに共通的に設置可能で見栄えよく配線コードを引き回せる便器洗浄装置及び便器洗浄システムを提供することを目的とする。
【課題を解決するための手段】
【００１２】
上記目的を達成するため、本発明の一態様によれば、
排水弁を有するロータンクに取り付け可能であって出力軸を介して前記排水弁を引き上げる便器洗浄装置であって、
モータと前記モータの出力を減速する減速手段とを収容した筺体と、
前記筺体の第１の主面から突出し、手動による駆動力を入力可能とした入力軸と、
前記筺体の第２の主面から突出し、前記入力軸及び前記減速手段から回転駆動力を出力可能な出力軸と、
前記第２の主面上において凹状に窪んだ配線コード取り回し部と、
前記配線コード取り回し部の底部に設けられた配線コード貫通部と、
前記配線コード貫通部から引き出された配線コードと、
前記第２の主面上において前記配線コード取り回し部から前記筺体の第１の側面に向けて設けられ前記配線コードを収容可能な溝状の第１の配線コード整線部と、
前記第２の主面上において前記配線コード取り回し部から前記筺体の第１の側面とは異なる第２の側面に向けて設けられ前記配線コードを収容可能な溝状の第２の配線コード整線部と、
を備えたことを特徴とする便器洗浄装置が提供される。
【００１３】
上記構成によれば、第１及び第２の配線コード整線部のいずれかを介して配線コードを異なる方向に引き出すことができる。その結果として、ロータンクに取り付けた状態において、見栄えよく配線コードを引き回すことができる。
【００１４】
ここで、前記配線コード整線部の開口端から突出し内部に収容される配線コードを固定する整線リブをさらに備えたものとすれば、配線コード整線部に収容された配線コードの脱落を防止できる。  
また、前記第１及び第２の配線コード整線部の前記側面における終端部の外壁面は、その周囲の側面の部分と連続的に形成され、且つ前記終端部の厚みは、その周囲の側面の部分よりも肉薄に形成されてなるものとすれば、施工時に配線コードを圧接したり、あるいはドライバやカッターまたは手爪などで容易に破壊削除して配線コード位置決め穴を形成できる。  
また、前記第１及び第２の配線コード整線部は、前記側面から前記配線コードを引き出すための配線コード位置決め穴を有するものとすれば、そのまま配線コードを外部に引き出すことができる。  
また、前記第１及び第２の配線コード整線部の少なくともいずれかに埋め込み可能とされ、前記配線コード位置決め穴を塞ぐプラグをさらに備えたものとすれば、配線コードを収容しない配線コード整線部に埋め込むことにより、配線コード位置決め穴を塞ぐことができ、外観がすっきりして見栄えがよくなるとともに、水分や湿気の侵入も防ぐことができる。
【００１５】
一方、本発明の他の一態様によれば、
排水弁を有するロータンクに取り付け可能であって出力軸を介して前記排水弁を引き上げる便器洗浄装置であって、
モータと前記モータの出力を減速する減速手段とを収容した筺体と、
前記筺体の第１の主面から突出し、手動による駆動力を入力可能とした入力軸と、
前記筺体の第２の主面から突出し、前記入力軸及び前記減速手段から回転駆動力を出力可能な出力軸と、
前記第２の主面上に設けられた配線コード貫通部と、
前記配線コード貫通部から引き出された配線コードと、
前記配線コード貫通部を覆うように設けられる中空の整線部材であって、前記中空内に引き出された前記配線を外側に引き出すための複数の配線コード位置決め穴を有する整線部材と、
を備えたことを特徴とする便器洗浄装置が提供される。
【００１６】
上記構成によれば、ロータンクに取り付けた状態において、配線部材に設けられた複数の配線コード位置決め穴のうちの最も適したものから配線コードを引き出すことにより、見栄えよく配線コードを引き回すことができる。
【００１７】
また一方、本発明の他の一態様によれば、
排水弁を有するロータンクに取り付け可能であって出力軸を介して前記排水弁を引き上げる便器洗浄装置であって、
モータと前記モータの出力を減速する減速手段とを収容した筺体と、
前記筺体の第１の主面から突出し、手動による駆動力を入力可能とした入力軸と、
前記筺体の第２の主面から突出し、前記入力軸及び前記減速手段から回転駆動力を出力可能な出力軸と、
前記筺体の第１の側面に設けられた配線コード差し込み用コネクタと、
前記筺体の第２の側面に設けられた配線コード差し込み用コネクタと、
を備えたことを特徴とする便器洗浄装置が提供される。
【００１８】
上記構成によれば、ロータンクに取り付けた状態において、第１及び第２の配線コード差し込み用コネクタのうちで適したものに配線コードを差し込んで接続することにより、見栄えよく配線コードを引き回すことができる。
【００１９】
また一方、本発明の他の一態様によれば、
排水弁を有するロータンクに取り付け可能であって出力軸を介して前記排水弁を引き上げる便器洗浄装置であって、
モータと前記モータの出力を減速する減速手段とを収容した筺体と、
前記筺体の第１の主面から突出し、手動による駆動力を入力可能とした入力軸と、
前記第２の主面上に設けられた多角形柱状の突出基部であって、その複数の側面のそれぞれに接続端子が設けられた多角形柱状の突出基部と、
前記突出基部から突出し、前記入力軸及び前記減速手段から回転駆動力を出力可能な出力軸と、
前記突出基部を挿入可能な貫通穴と、前記貫通穴の内壁面に露出した端子と、前記端子に接続された配線コードと、を有し、前記貫通穴に前記突出基部を挿入した状態において、前記接続端子のいずれかと前記端子とが接触可能とされたコネクタケースと、
を備えたことを特徴とする便器洗浄装置が提供される。
【００２０】
上記構成によれば、ロータンクに取り付けた状態において、複数の接続端子のうちの最適なものと端子とを接続させることにより、見栄えよく配線コードを引き回すことができる。
【００２１】
また一方、本発明の他の一態様によれば、
排水弁を有するロータンクに取り付け可能であって出力軸を介して前記排水弁を引き上げる便器洗浄装置であって、
モータと前記モータの出力を減速する減速手段とを収容した筺体と、
前記筺体の第１の主面から突出し、手動による駆動力を入力可能とした入力軸と、
前記筺体の第２の主面から突出した多角形柱状の突出基部と、
前記突出基部から突出し、前記入力軸及び前記減速手段から回転駆動力を出力可能な出力軸と、
前記筺体の側面に設けられた配線コード貫通部と、
前記配線コード貫通部から引き出された配線コードと、
を備え、
前記第１の主面に対して平行な前記入力軸の断面形状と、前記第２の主面に対して平行な前記突出基部の断面形状と、前記第２の主面に対して平行な前記出力軸の断面のいずれもが９０°を単位する回転対称であることを特徴とする便器洗浄装置が提供される。
【００２２】
上記構成によれば、筺体を９０°ずつ回転させて取り付け可能とすることにより、配線コードを最適な方向に引き出すことができる。この時、入力軸に接続される操作ハンドルと出力軸に接続される引き上げロッドは、筺体の取り付け角度に応じて適宜回転させて固定でき、本来の取り付け方向を維持できる。
【００２３】
一方、本発明の便器洗浄システムは、上記いずれかの便器洗浄装置と、前記便器洗浄装置の動作を制御する制御信号を前記配線コードを介して供給する制御部と、を備えたことを特徴とする。上記構成によれば、既存の各種のロータンクに共通的に設置可能で見栄えよく配線コードを引き回せる便器洗浄システムを提供できる。
【００２４】
また、前記制御部が便座に付設されたものすれば、独立した制御部を手洗い室の中に設置する必要がなくなり、コンパクト且つ見栄えよく、また配線の引き回しなども不要な便器洗浄システムを実現できる。
【００２５】
また、前記便座は、使用者の局部を水または温水により洗浄する局部洗浄装置も有するものとすれば、局部洗浄装置と電源部などを共有でき、同時に、局部洗浄機能も付加された高機能の自動便器システムが実現できる。
【発明の効果】
【００２６】
以上詳述したように、本発明によれば、既存の各種のロータンクに共通的に設置可能で見栄えよく配線コードを引き回せる便器洗浄装置を低コストで提供できる。その結果として、ユーザは、ロータンクを買い換えることなく低コストで電動洗浄の恩恵に浴することができる。
【発明を実施するための最良の形態】
【００２７】
以下、図面に示す実施例に基づいて本発明を説明する。  
図１は、本発明の第１の具体例の便器洗浄装置をその裏面側から眺めた斜視図である。すなわち、同図は、便器洗浄装置１０をロータンクに対する取り付け面の側から眺めた模式図である。  
また、図２は、この便器洗浄装置１０をロータンク２００に取り付けた状態を表す断面図である。
【００２８】
すなわち、本具体例の便器洗浄装置１０は、「外付け式」の装置である。本体ケース（筺体）５０の表面側には操作ハンドル１００が取り付けられ、ケース裏面側には引き上げロッド４４を差込み保持する螺合部３０が突出している。この螺合部３０には、 螺旋溝が形成されている。図２に表したように、ロータンク２００の側壁に設けられた取り付け穴２０２を貫通させた螺合部３０にナット９２を係合させることにより固定される。引き上げロッド４４の先端は、図２１に関して前述したように鎖を介してロータンク２００の排水弁に接続され、引き上げロッド４４が手動または電動で回転すると排水弁を引き上げて洗浄水が排出される。
【００２９】
そして、図１に表したように、本体ケース５０の裏面には螺合部３０を取り囲み凹状に窪んだ配線コード取り回し部７１が形成され、その底部に設けられた配線コード貫通部７０から配線コード７６が引き出されている。また、配線コード取り回し部７１から本体ケース５０の側面に向けて、溝状の配線コード整線部７２が配設されている。図１の具体例の場合、略環状の配線コード取り回し部７１から、上下左右の四方の側面に向けて４つの配線コード整線部７２が設けられている。
【００３０】
図３は、配線コード整線部７２の一部を拡大した斜視図である。  
また、図４は、配線コード整線部７２の終端部の付近をケース裏面側から眺めた平面図である。
【００３１】
溝状の配線コード整線部７２の開口端には、整線リブ７３が溝の幅方向に突出して設けられ、その中に収容される配線コード７６を固定できるようにされている。そして、溝状の配線コード整線部７２は、本体ケース５０の側面において終端している。その終端部５１は、本体ケース５０の外側壁と一体的な連続面を構成している。ただし、終端部５１の厚みは、その周囲のケース外側壁の厚みよりも薄く形成され、容易に削除可能とされている。
【００３２】
図１に表した具体例の場合、向かって左側に設けられた配線コード貫通部７０から引き出された配線コード７６は、配線コード取り回し部７１に沿って引き上げロッド４４の反対側まで引き回され、向かって右側の配線コード整線部７２に埋設され、本体ケース５０の右側側面から外部に引き出されている。この時、配線コード７６が引き出される終端部５１は削除され、本体ケース５０の側面に、配線コード位置決め穴７４が形成される。本体ケース５０の材質としては、プラスチックやその他各種の樹脂などを用いることができる。そして、終端部５１を肉薄に形成すれば、例えば、配線コード７６を圧接することにより容易に破壊して配線コード位置決め穴７４を形成できる。あるいは、ドライバやカッター、施工者の手爪などにより終端部５１を削除して配線コード位置決め穴７４を形成してもよい。  
図１の具体例の場合、配線コード７６が引き出されない上下及び左側の３箇所の終端部５１は、本体ケース５０の側壁と一体連続的な外壁面を構成している。このようにすれば、すっきりとした外観を維持でき、水分や湿気の侵入も抑止できる。
【００３３】
図５は、本具体例の便器洗浄装置をロータンク２００に取り付けた状態を例示する斜視図である。  
すなわち、本具体例においては、配線コード７６を便器洗浄装置１０の上下左右のいずれの側面から引き出すことも可能である。従って、図５（ａ）に例示した「右ハンドル型」のロータンク２００の場合には、正面から見て裏側に配線コード７６を引き出すことにより、外観をすっきりとさせ見栄えよくできる。  
一方、図５（ｂ）に例示したように左側に偏ってハンドルが設けられた「前ハンドル型」のロータンク２００に取り付ける場合には、便器洗浄装置１０の向かって左側から配線コード７６を引き出すことにより、配線コード７６が目立たず外観をすっきりさせることができる。  
また一方、図５（ｃ）に例示した如く、便器洗浄装置１０から下向きに配線コード７６を引き出すこともでき、あるいは、これとは逆に上向きに引き出すことも可能である。
【００３４】
以上説明したように、本具体例によれば、配線コード７６を最適な方向に引き出すことができ、外観をすっきりとさせ見栄えよくできる。また、配線コード７６の引き出し方向に応じて複数の機種を製造する必要がなくなるので、製造コストも下げることができる。
【００３５】
次に、本発明の便器洗浄システムの望ましい実施の形態について説明する。
【００３６】
図６は、本発明の実施の形態にかかる便器洗浄システムを例示する模式図である。  
図７は、便器洗浄装置１０と便座４００との接続を例示する模式図である。
【００３７】
便器洗浄装置１０は、ロータンク２００の側面に取り付けられ、ロータンク２００の裏面側に配線コード７６が目立たないように引き出されている。配線コード７６は、固定具９８により適宜固定され、ロータンク２００の裏面側に引き回される。
【００３８】
一方、便器３００の上に便座４００が設けられ、便座４００の後方には制御部（図示せず）が内蔵されて、便座４００の背面に接続口４０２が設けられている。配線コード７６の先端に設けられたコネクタ７８は、接続口４０２に接続される。
【００３９】
便座４００には、操作部が設けられ、例えば、ＤＣ２４ボルトの駆動信号を適宜供給することより、便器洗浄装置１０の動作を制御することができる。
【００４０】
つまり、使用者は、ロータンク２００に設けられた操作ハンドル１００を操作することなく、便座４００に設けられた手元スイッチを操作することによって洗浄水を便器に流すことができ、便利である。
【００４１】
また、便座４００に人感センサを設け、例えば、使用者が近づいた時、または便座４００に着座した時に、予備洗浄水を流すように便器洗浄装置１０を動作させることができる。つまり、便器３００が使用される前に、予備洗浄水を流してそのボウル面を濡らした状態とすることにより、汚物などの付着を抑制することができ清潔である。
【００４２】
また一方、人感センサにより、使用者が離れた時、または便座４００から立ち上がった時に、自動的に洗浄水を便器３００に流すように便器洗浄装置１０を動作させることもできる。このようにすれば、いわゆる「自動洗浄」が可能であり、お年寄りや身体障害者あるいは子供などに対しても使い勝手のよい便器洗浄システムが実現できる。
【００４３】
またさらに、このような便座に、いわゆる局部洗浄装置を組み合わせることもできる。すなわち、便座４００に腰掛けた使用者の臀部などを水（温水）により洗浄する装置を組み込むことより、さらに高機能で使い勝手に優れた便器洗浄システムが実現される。この場合、例えば局部洗浄の終了に対応して洗浄水を流すように便器洗浄装置１０を動作させることもできる。
【００４４】
また、本発明の便器洗浄システムにおいては、リモートコントロールにより操作することもできる。  
図８は、このような用途に用いることができるリモートコントロール装置を例示する模式図である。このリモートコントロール装置５１０は、例えば、便座４００に内蔵された制御部に操作信号を適宜送信し、便器洗浄装置１０を動作させることができる。また、便座４００に組み込まれた局部洗浄装置の動作も併せて制御可能としてもよい。さらにまた、このリモートコントロール装置５１０に人感センサを組み込んで、前述の如く予備洗浄水を流したり、自動洗浄を実行させることもできる。
【００４５】
このようなリモートコントロール装置５１０を手洗い室の壁面などに適宜設けておけば、使用者は、手元で各種の操作を実行でき、非常に使い勝手のよい便器洗浄システムが実現できる。
【００４６】
そして、本発明によれば、便器洗浄装置１０からの配線コード７６の引き出し方向を最適な方向に適宜選択可能とし、便器洗浄装置１０をロータンク２００に外付けした状態においても、配線コード７６が目立たず外観をすっきりとさせ見栄えよくできる。さらに、水分や湿気の侵入も抑止でき、高い信頼性も得られる。なお、便器洗浄装置１０としては、前述した第１具体例のものに限定されず、以下説明する第２乃至第７具体例の便器洗浄装置をはじめとして本発明の範囲に包含されるすべての便器洗浄装置を用いることができる。
【００４７】
次に、本発明の便器洗浄装置１０の他の具体例について説明する。  
図９は、本発明の第２の具体例の便器洗浄装置をその裏面側から眺めた斜視図である。同図については、図１乃至図８に関して前述したものと同様の要素には同一の符号を付して詳細な説明は省略する。  
本具体例においては、上下左右四方に向けて配設された配線コード整線部７２に終端部は設けられておらず、配線コード位置決め穴７４が開口している。配線コード位置決め穴７４がそれほど大きくない場合には、このように予め開口させて形成しても外観にそれほど影響を与えない。また、第１具体例に関して前述した終端部５１を削除する手間が省けるという点では有利である。
【００４８】
次に、本発明の第３の具体例として、配線コード位置決め穴７４にプラグ７５を挿入する便器洗浄装置について説明する。  
図１０は、本発明の第３の具体例の便器洗浄装置をその裏面側から眺めた斜視図である。  また、図１１は、本具体例の便器洗浄装置の要部を表す一部拡大図である。すなわち、同図は、配線コード整線部７２の端部をケース裏面側から眺めた平面図である。
【００４９】
本具体例においても、第２具体例と同様に、配線コード整線部７２に終端部５１は設けられず、配線コード位置決め穴７４が開口している。そして、図１０及び図１１（ａ）に表したように、配線コード位置決め穴７４を介して配線コード７６を外部に引き出すことができる。一方、配線コード７６を通さない時には、図１０及び図１１（ｂ）に表したように、配線コード位置決め穴７４にプラグ７５を挿入することにより、外観をすっきりさせ、湿気や水分などの侵入も抑制できる。
【００５０】
プラグ７５の材料としては、例えば、プラスチックやその他各種の樹脂など、本体ケース５０と同質の材料でもよく、あるいはゴムなど比較的軟質の材料としてもよい。本体ケース５０と同一の材料とした場合には、外観的に均一となり、見栄えがよい。ゴムなどの軟質な材料により形成した場合には、着脱が容易であり且つ封止性にも優れる。
【００５１】
次に、本発明の第４の具体例の便器洗浄装置について説明する。  
図１２は、本発明の第４の便器洗浄装置を表す斜視組立図である。  
また、図１３は、この便器洗浄装置をロータンクに取り付けた状態を表す断面図である。
【００５２】
本具体例についても、図１乃至図１１に関して前述したものと同様の要素には同一の符号を付して詳細な説明は省略する。
【００５３】
本具体例においては、本体ケース５０の裏面側に整線部材７７が配設される。整線部材７７は、一面が開放された中空筺状をなし、その開放面に対向した主面には、略四角形の開口７９が設けられている。また、整線部材７７の四方の側面には、配線コード７６を通すための配線コード位置決め穴７４が設けられている。ロータンク２００への取り付けに際しては、本体ケース５０の裏面側に突出する四角柱状の突出基部３２を整線部材７７の開口７９に貫通させ、整線部材７７をロータンク２００の外壁と本体ケース５０との間に挟持した状態で、螺合部３０にナット９２を嵌合させ固定する。
【００５４】
本体ケース５０の裏面の突出基部３２の近傍には、配線コード貫通部７０が設けられ、配線コード７６が引き出されている。この配線コード７６は、整線部材７７の内部中空空間において適宜引き回され、所定の方向において配線コード位置決め穴７４を介して外側に引き出される。
【００５５】
本具体例によれば、中空の整線部材７７の中で配線コード７６を適宜引き回し、四方に開口した配線コード位置決め穴７４のうちの最適の位置のものから配線コード７６を外側に引き出すことができる。また、整線部材７７の外寸は、本体ケース５０の外寸よりも小さくすることができ、図１３に表した取り付け状態からも分かるように、配線コード７６を通さない状態での配線コード位置決め穴７４がそれほど目立たない。つまり、外観を比較的すっきりとしつつ、配線コード７６を最適な方向に引き出すことができる。
【００５６】
なお、本体ケース５０に設けられた突出基部３２が略正方形柱状である場合には、整線部材７７の開口７９も略正方形状とし、９０度単位で回転可能となる。この場合には、整線部材７７の一側面のみに配線コード位置決め穴７４を開口し、配線コード７６を引き出したい方向に整線部材７７を回転させて固定することができる。このようにすれば、配線コード７６が引き出されない方向には配線コード位置決め穴７４が開口せず、外観をさらにすっきりさせ、湿気や水分の侵入を抑制できる。
【００５７】
次に、本発明の第５の具体例の便器洗浄装置について説明する。  
図１４は、本発明の第５の便器洗浄装置を表す斜視組立図である。  
また、図１５は、この便器洗浄装置をロータンクに取り付けた状態を表す断面図である。
【００５８】
本具体例においては、本体ケース５０の複数の側面にコネクタ８１が設けられている。これらコネクタ８１は、本体ケース５０に内蔵されるモータ用の制御基板５５あるいはモータ５４に直接、接続されている。また、配線コード７６の先端にはピンジャック８０が設けられている。便器洗浄装置１０をロータンク２００に取り付けた状態において、複数のコネクタ８１のうちで、最適な方向に設けられたコネクタ８１にピンジャック８０を差し込むことにより、配線コード７６を引き出すことができる。このようにすれば、配線コード７６が目立たず外観をすっきりさせることができる。
【００５９】
次に、本発明の第６の具体例の便器洗浄装置について説明する。  
図１６は、本発明の第６の便器洗浄装置を表す斜視組立図である。  
また、図１７は、この便器洗浄装置をロータンクに取り付けた状態を表す断面図である。
【００６０】
本具体例においては、配線コード７６の先端にコネクタケース８２が接続されている。コネクタケース８２は、略四角形の貫通穴８３を有する枠状体であり、本体ケース５０の突出基部３２に挿入される。コネクタケース８２の貫通穴８３の内壁面には配線コード７６に接続された端子８４が設けられている。  
一方、本体ケース５０の突出基部３２の複数の側面には、それぞれ端子８５が設けられている。これら端子８５は、本体ケース５０に内蔵されたモータの制御基板５５あるいはモータ５４に直接、接続されている。
【００６１】
コネクタケース８２を突出基部３２に挿入すると、その端子８４が突出基部３２の端子８５と接触し配線コード７６の電気的な接続がなされる。コネクタケース８２を突出基部３２に挿入する際の向きにより、配線コード７６を最適な方向に引き出し、端子８４、８５を介して電気的な接続を達成できる。
【００６２】
本具体例の場合、配線コード７６が引き出されない側面には位置決め穴などが設けられないので、外観をすっきりとさせ、水分や湿気の侵入も抑止できる。また、コネクタケース８２を突出基部３２に挿入してロータンクに取り付けた状態においては、端子８４、８５なども露出しないので、ショートなどの心配もなく、安全性も確保できる。
【００６３】
次に、本発明の第７の具体例の便器洗浄装置について説明する。  
図１８及び図１９は、本発明の第７の便器洗浄装置を表す斜視組立図である。すなわち、図１８は、本具体例の便器洗浄装置１０を引き上げロッド４４の側から眺めた組立図であり、図１９は、操作ハンドル１００の側から眺めた組み立て図である。
【００６４】
本具体例においては、ロータンクに対する便器洗浄装置１０の取り付け角度が可変にされている。すなわち、本体ケース５０の表面側には入力軸６８が突出し、一方、裏面側には出力軸６９が突出している。入力軸６８には、ストッパ１０２がネジ１０３により固定され、このストッパに操作ハンドル１００を圧入して固定可能とされている。一方、出力軸６９の先端には、十字形状の嵌合凹部６９Ａが設けられている。そして、引き上げロッド４４の根元には、この嵌合凹部６９Ａに適合し挿入可能な十字形状の嵌合凸部４４Ａが設けられている。嵌合凸部４４Ａを嵌合凹部６９Ａに挿入し、ピン８６をはめ込むことにより、引き上げロッド４４を出力軸６９に固定できる。  
また、配線コード７６は、本体ケース５０の一側面から引き出されている。
【００６５】
この便器洗浄装置１０は、図２などに関して前述したように、ロータンク２００の壁面に設けられた取り付け穴２０２に突出基部３２を挿入して螺合部３０にナットを嵌合させて固定する。この時、ロータンクの取り付け穴２０２と、突出基部３２は、それぞれ略正方形状であり、９０°を単位とする回転対称である。つまり、便器洗浄装置１０を９０度ずつ回転させて取り付けることができる。従って、図５（ａ）〜（ｃ）に例示した如く、配線コード７６の引き出し方向を上下左右のいずれかに自由に変えることができ、配線コード７６が目立たず見栄えよく取り付けることができる。
【００６６】
またこの時、入力軸６８も略正方形状、すなわち、９０°を単位とする回転対称であるので、本体ケース５０の取り付け角度に応じて、ストッパ１０２を９０度ずつ適宜回転させてネジ１０３により固定できる。つまり、本体ケース５０の取り付け角度を変えても、操作ハンドル１００は本来必要とされる方向に取り付けることができる。
【００６７】
同様に、出力軸の嵌合凹部６９Ａも略十字形状、すなわち、９０°を単位とする回転対称であるので、本体ケース５０の取り付け角度に応じて、引き上げロッド４４を９０度ずつ適宜回転させ嵌合凸部４４Ａを嵌合凹部６９Ａに挿入固定できる。つまり、本体ケース５０の取り付け角度を変えても、引き上げロッド４４は、本来必要とされる方向に取り付けることができる。
【００６８】
以上説明したように、本具体例によれば、本体ケース５０を９０度ずつ回転させて取り付け可能とすることにより、配線コード７６を最適な方向に引き出すことができる。この時、操作ハンドル１００と引き上げロッド４４は、本体ケース５０の取り付け角度に応じて適宜回転させて固定でき、本来の取り付け方向を維持できる。
【００６９】
以上具体例を参照しつつ本発明の実施の形態について説明した。しかし、本発明は、これらの具体例に限定されるものではない。  
すなわち、本発明の便器洗浄装置及び便器洗浄システムを構成する要素について当業者が設計変更を加えたものであっても、本発明の要旨を備えたものであれば、本発明の範囲に包含される。
【００７０】
例えば、便器洗浄装置１０の外形状、サイズ、内蔵するモータやギアなどの数やそれらの減速比、あるいはこれらの配置関係などについては、当業者が適宜設計変更を加えたものも、本発明の要旨を含む限り本発明の範囲に包含される。  
また、便器洗浄システムを構成する制御部、操作部やリモコンなどの形状や構造あるいはそれらの配置関係についても、当業者が適宜設計変更を加えたものも本発明の範囲に包含される。
【図面の簡単な説明】
【００７１】
【図１】本発明の第１の具体例の便器洗浄装置をその裏面側から眺めた斜視図である。
【図２】第１具体例の便器洗浄装置１０をロータンク２００に取り付けた状態を表す断面図である。
【図３】配線コード整線部７２の一部を拡大した斜視図である。
【図４】配線コード整線部７２の終端部の付近をケース裏面側から眺めた平面図である。
【図５】第１具体例の便器洗浄装置をロータンクに取り付けた状態を例示する斜視図である。
【図６】本発明の実施の形態にかかる便器洗浄システムを例示する模式図である。
【図７】便器洗浄装置１０と便座４００との接続を例示する模式図である。
【図８】リモートコントロール装置を例示する模式図である。
【図９】本発明の第２の具体例の便器洗浄装置をその裏面側から眺めた斜視図である。
【図１０】本発明の第３の具体例の便器洗浄装置をその裏面側から眺めた斜視図である。
【図１１】第３具体例の便器洗浄装置の要部を表す一部拡大図である。
【図１２】本発明の第４の便器洗浄装置を表す斜視組立図である。
【図１３】第４具体例の便器洗浄装置をロータンクに取り付けた状態を表す断面図である。
【図１４】本発明の第５の便器洗浄装置を表す斜視組立図である。
【図１５】第５具体例の便器洗浄装置をロータンクに取り付けた状態を表す断面図である。
【図１６】本発明の第６の便器洗浄装置を表す斜視組立図である。
【図１７】第６具体例の便器洗浄装置をロータンクに取り付けた状態を表す断面図である。
【図１８】本発明の第７の便器洗浄装置を表す斜視組立図である。
【図１９】本発明の第７の便器洗浄装置を表す斜視組立図である。
【図２０】外付け式の便器洗浄装置を取り付けた水洗便器システムを表す。
【図２１】取り付け部の断面構造を表す模式図である。
【図２２】既存のロータンクの形態のいくつかを例示する模式図である。
【図２３】外付け式の便器洗浄装置から配線コード７６を引き回す態様を例示する模式図である。
【図２４】外付け式の便器洗浄装置から配線コード７６を引き回す態様を例示する模式図である。
【符号の説明】
【００７２】
１０ 便器洗浄装置
２２ ノズル
２４ 人体洗浄装置
２６ 制御部
３０ 螺合部
３２ 突出基部
３６ 排出口
３８ 排水弁
４２ 鎖
４４ 引き上げロッド
４４Ａ 嵌合凸部
５０ 本体ケース（ケーシング）
５１ 終端部
５２ ギア
５４ モータ
５５ 制御基板
５６ 出力軸
５８ ギア
６０〜６６ 中間ギア
６８ 入力軸
６９ 出力軸
６９Ａ 嵌合凹部
７０ 配線コード貫通部
７１ 配線コード取り回し部
７２ 配線コード整線部
７３ 整線リブ
７４ 配線コード位置決め穴
７５ プラグ
７６ 配線コード
７７ 整線部材
７８ コネクタ
７９ 開口
８０ ピンジャック
８１ コネクタ
８２ コネクタケース
８３ 貫通穴
８４ 端子
８５ 端子
８６ ピン
９２ ナット
９８ 固定具
１００ 手動操作ハンドル
１０２ ストッパ
１０３ ネジ
２００ ロータンク
２０２ 取り付け穴
３００ 水洗便器
４００ 便座
４０２ 接続口
５１０ リモコン
【図１】
2006200192.tif 000003
【図２】
2006200192.tif 000004
【図３】
2006200192.tif 000005
【図４】
2006200192.tif 000006
【図５】
2006200192.tif 000007
【図６】
2006200192.tif 000008
【図７】
2006200192.tif 000009
【図８】
2006200192.tif 000010
【図９】
2006200192.tif 000011
【図１０】
2006200192.tif 000012
【図１１】
2006200192.tif 000013
【図１２】
2006200192.tif 000014
【図１３】
2006200192.tif 000015
【図１４】
2006200192.tif 000016
【図１５】
2006200192.tif 000017
【図１６】
2006200192.tif 000018
【図１７】
2006200192.tif 000019
【図１８】
2006200192.tif 000020
【図１９】
2006200192.tif 000021
【図２０】
2006200192.tif 000022
【図２１】
2006200192.tif 000023
【図２２】
2006200192.tif 000024
【図２３】
2006200192.tif 000025
【図２４】
2006200192.tif 000026